(57)【要約】【課題】穿刺部以外の細菌が付着しやすい部分がバイアル内に入ることがなく、バイアル内に入る穿刺部に手指を触れずに清潔かつ容易に使用できる移液具を提供すること。【解決手段】移液具１は、バイアル内に穿刺される管状の穿刺部１０、穿刺部１０の基端から外向きに張り出す張出部２０、及び穿刺部１０の基端に接続して、穿刺部１０とともに貫通孔（すなわち、流路）を形成する筒状の装着部３０を備える。移液具１は、穿刺部１０と装着部３０とが形成する流路を介してバイアル内外に薬液を移すことができ、穿刺部１０をバイアルの口部に穿刺してバイアル内に入れた際に張出部２０が口部に干渉することで、穿刺部１０以外の細菌が付着しやすい部分がバイアル内に入るのを防ぐことができる。また、張出部２０を把持して操作することにより、穿刺部に手指を触れずに容易に使用できる。【選択図】図２
2017023318.tif 000002
【特許請求の範囲】
【請求項１】
バイアル内外に薬液を移す移液具であって、
バイアル内に穿刺される管状の穿刺部と、
前記穿刺部の基端から外向きに張り出す張出部と、
前記穿刺部の基端に接続して、前記穿刺部とともに貫通孔を形成する筒状の装着部と、
を備えることを特徴とする移液具。
【請求項２】
前記張出部は、前記バイアルの口部より大きい幅を有することを特徴とする、請求項１に記載の移液具。
【請求項３】
前記張出部は、３０ｍｍ以上の直径を有する円盤状であることを特徴とする、請求項２に記載の移液具。
【請求項４】
前記穿刺部の管の内径が１ｍｍ以上であることを特徴とする、請求項１〜３のいずれか１項に記載の移液具。
【請求項５】
前記装着部にシリンジが装着されることを特徴とする、請求項１〜４のいずれか１項に記載の移液具。
【発明の詳細な説明】
【技術分野】
【０００１】
本発明は、バイアル内外に薬液を移す移液具に関する。
【背景技術】
【０００２】
従来、薬液が充填されたバイアルからその薬液をシリンジ等の他の容器に、或いは薬液が充填された他の容器からその薬液をバイアルに移すのに、穿刺針が取り付けられたシリンジが用いられていた。例えば、バイアル内の薬液をシリンジに吸引する場合、穿刺針をバイアルの口部に刺し入れ、シリンジを操作して吸引したい薬液の容量に等しい容量のエアをバイアル内に注入し、バイアルの底を上げて穿刺針の先端を薬液に浸し、シリンジを操作して薬液をシリンジ内に吸引する。逆にバイアル内に薬液を注入する場合、穿刺針をバイアルの口部に刺し入れ、シリンジを操作して注入したい薬液の容量に等しい容量のエアをバイアルから吸い出し、その後、薬液が充填された別のシリンジを用いて薬液を注入する。しかし、これら一連の操作は煩雑であり、また穿刺針、その接続部等に手指が触れて細菌が付着し、それがバイアル内に混入するおそれがある。
【０００３】
穿刺針が取り付けられたシリンジとして、注射器が広く用いられている。しかし、注射器を使用する場合には、針や刺入部に手指が触れてしまうリスクが高い。また、細い針を用いて注入、注出を行い続けることには困難がある。このため、バイアルから薬液を抽出し、キャップ等を用いて針に手指が触れないようにして針を外し、他の容器に薬液を移し、再び針をつけてバイアルに挿入することが繰り返された。以上の操作は、細い針を用いて薬液を吸引することにかなりの力を要し、手順が煩雑であり、キャップの操作において手指に針を刺してしまうリスクが高く、注意力を要するものであるため、作業者の疲労を招いていた。
【０００４】
そこで、例えば特許文献１には、穿刺針、活栓、チップ装着部を含んで構成される液体移注用具が開示されている。この液体移注用具は、穿刺針をバイアルの口部に刺し入れ、チップ装着部にシリンジを装着し、活栓を開けてシリンジを操作することで、バイアル内の薬液をシリンジに移注することができる。また、特許文献２には、容器栓及びシリンジホルダを含んで構成される薬液充填具が開示されている。この薬液充填具は、穿刺針が取り付けられたシリンジをシリンジホルダに取り付け、シリンジホルダを利用して穿刺針を容器栓を介してバイアルに刺し入れ、シリンジを操作してバイアル内の薬液をシリンジに移す。続いて、シリンジホルダを利用して穿刺針をバイアルから抜き、先端を容器栓内に留め、シリンジを操作してその中の薬液を容器栓に接続する別の容器に移すことができる。しかし、特許文献１及び２に開示されたものは、特殊な構造のものであり、生産及び使用者の慣れが問題となる。また、特許文献１に開示されたものは、活栓を用いているために薬剤の通過に抵抗が生じ、吸引に力を要する。特許文献２に開示されたものは、特定形状のバイアルでないと使用できず、注射針を用いているために吸引に力を要する。
【先行技術文献】
【特許文献】
【０００５】
【特許文献１】特開２００１−３２１４１６号公報
【特許文献２】特開２００４−２７５４６５号公報
【発明の概要】
【発明が解決しようとする課題】
【０００６】
本発明は、穿刺部以外の細菌が付着しやすい部分がバイアル内に入ることがなく、バイアル内に入る穿刺部に手指を触れずに清潔かつ容易に使用できる移液具を提供することを課題とする。
【課題を解決するための手段】
【０００７】
本発明の移液具は、
バイアル内外に薬液を移す移液具であって、
バイアル内に穿刺される管状の穿刺部と、
前記穿刺部の基端から外向きに張り出す張出部と、
前記穿刺部の基端に接続して、前記穿刺部とともに貫通孔を形成する筒状の装着部と、
を備えることを特徴とする。
【０００８】
この特徴によれば、穿刺部と装着部とが形成する貫通孔を介してバイアル内外に薬液を移すことができる移液具において、穿刺部をバイアルの口部に穿刺してバイアル内に入れた際に張出部が口部に干渉することで、穿刺部以外の細菌が付着しやすい部分がバイアル内に入るのを防ぐことができる。
【０００９】
本発明の移液具は、
前記張出部は、前記バイアルの口部より大きい幅を有することを特徴とする。
【００１０】
この特徴によれば、穿刺部をバイアルの口部に穿刺してバイアル内に入れた際に、必ず、張出部が口部に干渉する。
【００１１】
本発明の移液具は、
前記張出部は、３０ｍｍ以上の直径を有する円盤状であることを特徴とする。
【００１２】
この特徴によれば、円筒状のバイアル（通常は３０ｍｍよりも小さな径を有する）の口部を塞ぎ、バイアルが転置される場合にも口部を上方に配して、バイアルからの薬液の流出を防止することができる。
【００１３】
本発明の移液具は、
前記穿刺部の管の内径が１ｍｍ以上であることを特徴とする。
【００１４】
この特徴によれば、管の内径が十分に太く、薬液の移動が容易となる。
【００１５】
本発明の移液具は、
前記装着部にシリンジが装着されることを特徴とする。
【００１６】
この特徴によれば、装着部にシリンジを装着し、これを用いることでバイアル内外に薬液を移すことができる。
【発明の効果】
【００１７】
本発明の移液具によれば、穿刺部以外の汚れが付着しやすい部分がバイアル内に入ることがなく、バイアル内に入る穿刺部に手指を触れずに清潔かつ容易に使用することが可能となる。
【図面の簡単な説明】
【００１８】
【図１】図１は、一実施形態に係る移液具の全体構成を示す斜視図である。
【図２】図２（Ａ）及び図２（Ｂ）は、それぞれ、移液具の構成を示す側面図及び断面図である。
【図３】図３は、移液具の使用方法を説明するための図である。
【図４】図４は、移液具の使用方法を説明するための図である。
【図５】図５は、移液具の使用方法を説明するための図である。
【図６】図６は、移液具の使用方法を説明するための図である。
【発明を実施するための形態】
【００１９】
以下、本発明の一実施形態について説明する。
【００２０】
図１及び図２に、本実施形態に係る移液具１の構成を示す。ここで、図１は移液具の全体構成を示す。図２（Ａ）は、移液具１の側面視における構成を示す。また、図２（Ｂ）は、移液具１の側面視における断面構成を示す。移液具１は、バイアル内外に薬液を移す移液具であり、穿刺部１０、張出部２０、装着部３０を含んで構成されている。
【００２１】
穿刺部１０は、バイアルの口部に穿刺して、その内部に挿入される管状の部材である。穿刺部１０は、例えば、ポリプロピレン、ポリエチレン、ポリエステル、ポリ塩化ビニルなどのプラスチックを用いて、図面上下方向を長手とし、その長手方向に内部を貫通する空間１０ａを有する円筒形状に成形される。さらに、穿刺部１０の先端（図面下側の端部）は、図面上下方向に鋭角に交差する面に沿って切られて針部１０ｂをなす。穿刺部１０の基端（図面上側の端部）１０ｃは、先端に対して肉厚に形成されている。一例として、穿刺部１０の長さＨ１は３５ｍｍ、針部１０ｂの長さｈｂは１７ｍｍ、基端１０ｃの長さｈｃは５ｍｍ、（先端の）直径ｗ１は４．５ｍｍ、内径（空間１０ａの直径）ｄは２ｍｍである。
【００２２】
ここで、ｄが２ｍｍであることにより、針が太く、薬液を容易に注入、注出することができる。薬液の容易な注入、注出のため、ｄは１ｍｍ以上であることが好ましい。
【００２３】
張出部２０は、移液具１をバイアルの口部に留めるための部材であり。張出部２０は、穿刺部１０と同じ素材を用いて、穿刺部１０の基端１０ｃから外向き（すなわち、動径方向）に張り出す円板状に成形される。一例として、張出部２０の直径Ｗは３０ｍｍ、厚さＨ２は２ｍｍである。ただし、張出部２０の直径（すなわち、幅）は、バイアルの口部の幅より大きいものとする。バイアルの口部の幅よりもさらに大きくし、バイアルが転置された場合に口部を上方に配してバイアルからの薬液の流出を防止するため、Ｗが３０ｍｍ以上であることが好ましい。なお、張出部２０は、穿刺部１０と一体成形してもよいし、独立に成形して穿刺部１０に接着、溶着等により接続してもよい。
【００２４】
装着部３０は、シリンジを装着する部分である。装着部３０は、穿刺部１０及び張出部２０と同じ素材を用いて、図面上下方向を長手とし、その長手方向に内部を貫通する空間３０ａを有する円筒形状に成形される。一例として、装着部３０の長さＨ３は９ｍｍ、直径ｗ２は６ｍｍ、内径（空間３０ａの直径）Ｄは４ｍｍである。なお、装着部３０は、穿刺部１０及び張出部２０と一体成形してもよいし、独立に成形して穿刺部１０及び張出部２０に接着、溶着等により接続してもよい。
【００２５】
装着部３０の下端は、張出部２０を介して穿刺部１０の基端１０ｃに接続される。それにより、装着部３０内の空間３０ａと穿刺部１０の空間１０ａとが連通し、薬液が通る流路を形成する。
【００２６】
また、装着部３０の上端に、一対の突出部３１が形成されている。一対の突出部３１は、それぞれ、装着部３０の中心に対して対称となる位置（すなわち、図２（Ｂ）における左右の位置）から外向きに突設されている。ここで、一対の突出部３１の下面は、図面左右方向に対して傾斜して、すなわち図２（Ａ）において左から右にかけて上がるテーパ面をなす。それにより、一対の突出部３１が係合する雌ネジ、溝部等が内部に形成されたキャップを装着部３０の上端に装着することができる。
【００２７】
移液具１の使用方法について説明する。一例として、バイアル８０内の薬液８８をシリンジ９０を用いて吸引する場合について説明する。なお、バイアル８０は、その口部８１に弾力性を有する栓（不図示）が取り付けられて、密封されているものとする。
【００２８】
まず、図３に示すように、移液具１をバイアル８０に装着する。穿刺部１０の針部１０ｂをバイアル８０の口部８１の栓（不図示）に刺し入れて、穿刺部１０をバイアル８０内に挿入する。このとき、張出部２０が口部８１より大きい幅を有することで、張出部２０を把持して（穿刺部１０を把持することなく）穿刺部１０をバイアル８０内に挿入することができ、穿刺部１０をバイアル内に入れた際に必ず張出部２０が口部８１に干渉して移液具１がバイアル８０に対して留められる。なお、穿刺部１０の針部１０ｂが薬液８８に浸らないことが望ましい。
【００２９】
次に、シリンジ９０を移液具１に装着する。装着に先立って、シリンジ９０のプランジャを引いて、吸引したい薬液の容量に等しい容量のエアをシリンジ９０に入れる。シリンジ９０の先端９１を、装着部３０に嵌入する。
【００３０】
次に、図４に示すように、シリンジ９０のプランジャ９２を押して、シリンジ９０内のエアをバイアル８０内に入れる。
【００３１】
次に、図５に示すように、バイアル８０を反転して穿刺部１０の針部１０ｂを薬液８８に浸す。なお、バイアル８０の底を上げるなどにより針部１０ｂを薬液８８に浸してもよい。
【００３２】
次に、図６に示すように、プランジャ９２を引いて、シリンジ９０内に薬液８８を吸引する。このとき、薬液８８は、穿刺部１０の空間１０ａ及び装着部３０の空間３０ａを通って、バイアル８０からシリンジ９０に移る。
【００３３】
最後に、バイアル８０を反転して（すなわち、底を下げて）、移液具１からシリンジ９０を取り外し、装着部３０にキャップ（不図示）を取り付けて、バイアル８０を密封する。薬液８８を吸引したシリンジ９０により、その薬液８８を他の容器に移すことができる。
【００３４】
以上詳細に説明したように、本実施形態の移液具１は、バイアル８０内に穿刺される管状の穿刺部１０、穿刺部１０の基端から外向きに張り出す張出部２０、及び穿刺部１０の基端に接続して、穿刺部１０とともに貫通孔（すなわち、流路）を形成する筒状の装着部３０を備える。移液具１は、穿刺部１０と装着部３０とが形成する流路を介してバイアル８０内外に薬液を移すことができ、穿刺部１０をバイアル８０の口部８１に穿刺してバイアル８０内に入れた際に張出部２０が口部８１に干渉することで、穿刺部１０以外の汚れが付着しやすい部分がバイアル内に入るのを防ぐことができる。
【００３５】
なお、穿刺針が先端に取付けられたシリンジを用いて、バイアル８０内外に薬液を移してもよい。例えば、移液具１の流路内に穿刺針を通してその先端を薬液に浸し、シリンジを操作してバイアル内の薬液を穿刺針を介してシリンジ内に吸引する。係る場合、バイアルを反転する必要は生じない。
【００３６】
また、バイアル８０が直立せずに転置される場合においては、円盤状の張出部２０の径が十分に大きく、口部を上方に配してバイアルの口部から薬液が流出してしまうことのない角度で転置される。バイアルからの薬液の流出を防止することができることとなる。
【産業上の利用可能性】
【００３７】
穿刺部以外の細菌が付着しやすい部分がバイアル内に入ることがなく、バイアル内に入る穿刺部に手指を触れずに清潔かつ容易に使用できる移液具であり、多くの医療従事者による利用が考えられる。
【符号の説明】
【００３８】
１    移液具
１０    穿刺部
１０ａ  空間
１０ｂ  針部
１０ｃ  基端
２０    張出部
３０    装着部
３０ａ  空間
３１    突出部
８０    バイアル
８１    口部
８８    薬液
９０    シリンジ
９１    先端
９２    プランジャ
【図１】
2017023318.tif 000003
【図２】
2017023318.tif 000004
【図３】
2017023318.tif 000005
【図４】
2017023318.tif 000006
【図５】
2017023318.tif 000007
【図６】
2017023318.tif 000008